(57)【特許請求の範囲】
【請求項１】
化粧料を収容したボトルと組み合わせた化粧料塗布具であって、
化粧料塗布具は、把持部と本体部とからなり、
本体部は、把持部から突出した柄とその先端の装着部とからなり、
柄は、軸方向の途中で軽く屈曲され、屈曲部を中心とした基部側と先端側とがこれらの部分の軸線が平行となるように平行にシフトした浅いクランク形状とされており、
装着部は、櫛歯を有すると共に化粧料を含浸可能な柱状の弾性体より成る塗布部材を周方向へ回転可能に取り付ける部分であり、
ボトル２は、前記化粧料塗布具の柄と装着部を収容できる大きさであって、開口を化粧料塗布具の前記把持部で開閉可能に閉じることができるものであることを特徴とした化粧料塗布具。
【発明の詳細な説明】
【技術分野】
【０００１】
本発明は、染毛料、毛髪用顔料、整髪料のような液状の化粧料を毛髪へ塗布するのに用いる化粧料塗布具に関する。
【背景技術】
【０００２】
毛髪に化粧料を塗布するには多数の櫛歯を備えた櫛あるいはブラシを用いるのが一般的であるが、化粧料の塗布を目的とした塗布具も種々提案されている。
例えば、特許文献１には、ブラシ毛支持部に液状体を保持する部材を設け、この部材に白髪染剤、ヘアーリキッド等の液状体を含浸できるようにしたヘアーブラシが記載されている。また、特許文献２には、ブラシ基部植毛面に、ブラシ毛群に埋まるように回転ブラシが設けられ、回転ブラシによって抜け毛を巻き取ると共に、ヘアムース等を回転ブラシの回転により円滑に送り出して毛髪に塗布することが可能なヘアブラシが記載されている。さらに、特許文献３には、塗布液が含浸された塗布体を収容する塗布液収容体と、一連の櫛歯体が並立する櫛体部を有する本体とを備え、塗布液収容体が櫛体部で囲まれるよう本体に収容された毛髪用塗布具が記載されている。
【先行技術文献】
【特許文献】
【０００３】
【特許文献１】実開平４−１２３１２０号公報
【特許文献２】特公平６−４２８４８号公報
【特許文献３】特開２００９−２９１３８１号公報
【発明の概要】
【発明が解決しようとする課題】
【０００４】
しかし、特許文献１に記載のヘアーブラシを用いて液状体を塗布すると、ブラシ毛（液状体が毛髪に接触するための部材）に毛髪が絡まってしまう不具合があった。
また、特許文献２に記載のヘアブラシは、回転ブラシで抜け毛を絡め取る効果があるものの、抜け毛ではない毛までも回転ブラシで絡め取ってしまう虞がある。
特許文献３に記載の毛髪用塗布具では、塗布液収容体が本体に固定されているので、塗布液収容体を毛髪に擦りつけて塗布液を塗布する際に、大きな摩擦力が働くと共に、本体に形成した櫛歯体と塗布液収容体の間に毛髪が挟み込まれ、生えている毛髪を絡め取ってしまう虞があった。
そこで、本願の発明は、化粧料をむらなく良好に、かつ、効率よく毛髪に塗布することができ、毛髪が絡みつき難い化粧料塗布具の提供を目的とする。
【課題を解決するための手段】
【０００５】
課題解決のために、本願の化粧料塗布具は、次の構成を備えることを特徴とする。
化粧料を含浸可能な柱状の弾性体より成る塗布部材と、
該塗布部材を装着可能な装着部を設けてある本体部とを備え、
前記塗布部材は、前記本体部の装着部に周方向へ回転自在に装着され、
前記本体部の装着部には、前記塗布部材の長手方向に列となる複数の櫛歯を設ける。
塗布部材に含浸された化粧料を塗布する際に使用者が把持する把持部を本体部に設けることがある。
【発明の効果】
【０００６】
本発明によれば、本体部の櫛歯で毛髪を梳きながら、塗布部材に含浸させた化粧料を、塗布部材を回転させながら毛髪に塗布するので、むらなく良好に、かつ、効率良く毛髪に化粧料を塗布することができる。
また、塗布部材を毛髪に押し当てた時、塗布部材が圧縮されて櫛歯間の隙間に毛髪が入り込む場合があるが、塗布部材が元の形状に復帰するとき毛髪は櫛歯間から押し出されるので、櫛歯に毛髪が絡みつくことが少ない。
さらに、塗布部材が回転するので、塗布部材を毛髪に擦りつけた時に強い摩擦力が働くことはなく、また、毛髪が塗布部材と装着部との間に挟まっても塗布部材が回転して解放するので、生えている毛髪が塗布部材に絡め取られるのを防止することができる。
【図面の簡単な説明】
【０００７】
【図１】（イ）は化粧料塗布具の斜視図（実施例１）、（ロ）はボトルに収めた全体の正面図。
【図２】実施例１の化粧料塗布具を分解し示す斜視図。
【図３】ボトルと化粧料塗布具を一部断面にして示す正面図。
【図４】実施例１の装着部を拡大して示す斜視図、（イ）は塗布部材を装てんしていない状態、（ロ）は塗布部材を装てんした状態。
【図５】実施例１の装着部を長手方向の軸に沿って示す断面図。
【図６】図１（ロ）の化粧料塗布具を下方から見た底面図。
【図７】化粧料塗布具の斜視図（実施例２）。
【図８】化粧料塗布具の斜視図（実施例３）。
【図９】化粧料塗布具斜視図（実施例４）。
【図１０】（イ）（ロ）（ハ）は、実施例１の化粧料塗布具の化粧料塗布時における塗布部材の変位を説明するための図。
【発明を実施するための形態】
【０００８】
図１（イ）は、実施例１としての化粧料塗布具１の全体を示している。この実施例において化粧料塗布具１は、図１（ロ）のように液状の毛髪用顔料より成る化粧料を収容したボトル２と組み合わせて、いわゆるヘアマスカラの塗布具として使用される。
化粧料塗布具１（図１（イ））は、把持部３と本体部４とからなる。なお、説明の都合上、図１（イ）において、上下方向となる方向を軸方向、軸方向で上方を基部側、下方を先端側とする。
【０００９】
把持部３はキャップとして機能させるために軸方向の先端側が開口され、開口部５の内周面に雌ネジ６が形成されている（図２）。
本体部４は、軸方向の基部側に円筒状の栓体７を一体に有し、先端側に装着部８を有する。そして、これら栓体７と装着部８が細長い柄９で一体に繋がれている。栓体７は軸方向の基部側が少し先細りとなった円柱状であり、その先端側の周面に回転止めの突条１０が数条、円周回りで等間隔に、また、それぞれは軸方向に長く形成されている。栓体７と柄９は一体に成形されている。柄９は断面が丸い棒状であり、軸方向の途中で軽く屈曲され、屈曲部を中心とした基部側１１と先端側１２とがこれらの部分の軸線が平行となるように平行にシフトした形状（浅いクランク状）とされている。
【００１０】
装着部８は、柄９の先端側１２の先端部に構成するものであり、柄９の径よりも少し太めに形成された細長い台１３とその両側の櫛歯列１４ａ、１４ｂ及び細長いローラー状の塗布部材１５を備える。細長い台１３の基端側は柄９の先端部に接着などで固定される。櫛歯列１４ａ、１４ｂは、それぞれの列が軸方向に沿っているために平行な２列となっている。櫛歯１６は頂部に近づくほど細い略角錐となる形状をなし、頭皮を傷めないように頂部および稜線部の角部をまるめてある。両側の櫛歯列１４ａ、１４ｂ間には間隔があるので、細長い台１３の上面と両側の櫛歯１４ａ、１４ｂとでこれらの内側に溝状の収容空間１７が形成される（図４イ）。
【００１１】
そして、前記の収容空間１７には塗布部材１５が配置される。塗布部材１５は軸方向に長いローラー状で中心に軸方向の挿通孔１８を備え、この実施例においては比較的柔らかい発泡ウレタン（スポンジ状）で形成されている。さらに、塗布部材１５はこの実施例において、軸部材１９（図２）を用いて前記の収納空間１７に装填される。軸部材１９は軸２０と軸支持部２１とからなる。軸２０と軸支持部２１は一体に形成されており、軸２０は基端側が収納空間１７を軸方向に貫通して柄９の先端面に軸支される長さを備えている。
【００１２】
装着部８は次のように組み立てられる。細長い台１３の収納空間１７に塗布部材１５を納め、これの挿通孔１８へ先端側から軸部材１９の軸２０を基端側へ挿通し、軸２０の基端側を細長い台１３の基端側立面箇所に貫通させて軸支させつつ、軸支持部２１の爪２２を細長い台１３の先端面に形成した係合孔２３に差込んで固定する。ローラー状の塗布部材１５の寸法は、この状態で軸２０を軸として回転可能な長さと直径に定める。
各部を組み付けた装着部８は、その基端側の端面を柄９の先端面に接着して固定する。装着部８を柄９の先端面に取り付けた状態での、軸方向に沿った断面を図５に示している。
【００１３】
そして、以上のようにして完成した本体部４と把持部３を組み付ける。すなわち、柄９の基端側に形成された栓体７をキャップを兼ねた把持部３に栓体７を回転させるようにして押し込み固定する（図３）。固定状態において、栓体７は把持部２に対して突条１０によって回転止めされ、また、把持部３の基端側内面に形成された係合用の螺旋溝との係合によって軸方向での抜け止めが防止される。また、栓体７の軸方向長さは把持部２の軸方向長さより短く、その差分の把持部内面箇所に前記の雌ネジ６が形成されている。したがって、栓体７の存在にかかわらず把持部３をキャップとしてボトル２の首部に形成された雄ネジ２４へ螺合させることができる。
なお、図６に示すように、装着部８における櫛歯１６の突出方向Ｐは、この実施例において、柄９を軸方向で浅いクランクに屈曲させている面Ｑと平行ではなく、４５°程上方へ傾斜させてある（捻りがある）。
【００１４】
なお、ボトル４は、図３に断面で示すように、上端面が開口した細長い筒であり、その上端にはやや小径の首部２５が形成されている。前記雄ネジ２４はこの首部２５に形成されている。
首部２５の内面には、筒状のシゴキゴム２６が装着されている。シゴキゴム２６の下端部はボトル２の奥に向かって次第に径が狭まるテーパー部２７となっている。ボトル２には液状の毛髪用顔料より成る化粧料が収容されている。
【００１５】
ボトル２、把持部３及び本体部４（栓体７、装着部８、柄９）の素材はこの実施例においてＡＢＳ樹脂であるが、用途に応じて適宜選択できものである。
塗布部材１５の素材は、発泡ポリウレタン等の連続気泡性発泡材や繊維束が適しているが、一定量の毛髪用顔料３を含浸保持することができ、その形状を圧縮および復元しやすいものであれば特に限定されない。
【００１６】
化粧料塗布具１を用いてボトル２内の毛髪用顔料を毛髪に塗布するには、把持部３を持って回転させ、雌ネジ６と雄ネジ２４との螺合を緩めて把持部３をボトル２の首部２５から外し、本体部４をボトル２から引き抜く。このとき、把持部３と共に本体部４が回転し、ボトル内部の毛髪用顔料を撹拌し、装着部８の塗布部材１５に均一な組成の顔料が吸収される。この撹拌作用は、本体部４の柄９がクランクに屈曲されていることにより、より効果的に行われる。そして、本体部４がボトル２から引抜かれるとき、先端の装着部８はシゴキゴム２６のテーパー部２７に接してしごかれ、柄９の部分も含め装着部８における余分な毛髪用顔料が除かれる。このため、ボトル２の外で毛髪用顔料が滴り落ちたりすることがない。
【００１７】
次いで、装着部８を髪の生え際等の適宜箇所に押し当てるようにして梳き上げる。すると櫛歯１６で毛髪が梳かれると同時に塗布部材１５が毛髪に接触し、毛に顔料が塗布される（染められる）。
このとき、図１０（イ）（ロ）に示すように、塗布部材１５が押しつぶされて、毛髪ａが櫛歯１６の間に入り込み、同時に塗布部材１５から押し出された毛髪用顔料が毛髪ａに塗布されるのであるが、塗布部材１５は回転できるので毛髪ａと接触する面が次々と移動し、しかも、同時に櫛歯１６により毛髪ａを梳きながら、毛髪ａ間に間隙を作るので毛髪用顔料は毛髪間に効率よく、かつ、むらなく良好にいきわたる。
そして、塗布部材１５を毛髪ａから離すと、図１０（ハ）のように、塗布部材１５は素材の弾力によって元の形状に復帰するので、毛髪ａは櫛歯１６の間から押し出され毛髪ａが櫛歯１６に絡みついてしまう事態を避けることができる。
【００１８】
化粧料塗布具１の柄９は浅いクランクに屈曲して形成され、かつ、装着部８における櫛歯１６の突出する方向が浅いクランクの平面に対して角度を持って（捻って）配置されているので、把持部３を持って装着部８に装填した塗布部材１５を毛髪に押し当てたとき、把持部３が顔面や毛髪から離れる方向に位置するので、把持部３を持つ手が顔面あるいは毛髪に接触しにくい。
この操作を繰り返して塗布を完了したら、本体部４をボトル２に差込んで把持部３をキャップとしてボトル２の首部２５に被せてネジ込む。すると、化粧料塗布具１の柄９、装着部８および塗布部材１５が毛髪用顔料３に浸されてボトル２に収容される。把持部３は、ボトル２の首部２３に雄ネジ部２４と雌ネジ部６とで螺合するのでボトル２を密封する能力が高い。
【００１９】
以上、実施例１について説明した。櫛歯１６の列は、１列のこともある。また、櫛歯１６を塗布部部材１５の長手方向に沿って両側に設けた場合は、塗布部材１５を貫通する軸２０を設けずに、両側の櫛歯列１４ａ、１４ｂによってローラー状の塗布部材１５を回転可能に脱出不能に囲む構造とすることもある。塗布部材１５はローラー状に限らず、軸方向に長く回転できる構造の柱状であれば良く、断面は、極端には四角から多角形あるいは楕円形などであっても良い。また、中心の挿通孔を備えたものと備えないものがある。
【００２０】
図７は、本発明の実施例２を示し、実施例１とは主として装着部８の構成とその配置が異なっている。他の構成は実施例１と格別に変わりが無いので、同じ符号を用いることにして具体的な説明は省略する。
実施例２の装着部８は、櫛歯列１４ａ，１４ｂを構成する櫛歯１６がいずれもその先端側が対向して内側へ丸く円弧状に湾曲した形態とされている。このため、装着部８における収納空間は上方の出口が狭くなって、内部のローラー状の塗布部材１５が脱落しにくい構造となっている。塗布部材１５を実施例１のように軸部材１９で軸支しない構成とするときに便利である。また、櫛歯１６の外周側は丸く形成されているので、毛髪を梳くときに肌に対する当たりが柔らかく、スムーズな使い心地を与えることが出来る。
【００２１】
実施例２の装着部８はまた、先端部が細い台１３と一体に形成されており、この部分にも軸方向に複数本の溝２８が形成されており、一種の櫛歯として構成されている。この溝２８はそれぞれ基部側が前記の収納空間１７に繋がっており、塗布部材１５の毛髪用顔料を誘導できるようになっている。したがって、化粧料塗布具１の先端部を使って、塗り残した部分や込み入った細かな箇所に塗ることができ、細かな化粧が可能となる。
なお、実施例２の櫛歯１６が突出している方向は、軸９の浅いクランクが属する平面と平行な方向であり、前記の捻りが付加されていない。
【００２２】
図８は、本発明の実施例３を示し、実施例１，２とは主として装着部８における軸方向に配列する櫛歯列１４ａ，１４ｂを構成する櫛歯１６の形態が異なっている。他の構成は実施例１、実施例２と格別に変わりが無いので、同じ符号を用いることにして具体的な説明は省略する。
【００２３】
実施例３の櫛歯列１４ａは、各櫛歯１６が実施例２のものと同様に円弧状に湾曲した構造とされているが、他方の櫛歯列１４ｂを構成する各櫛歯１６はほとんど湾曲していない直状とされている。櫛歯列１４ａは湾曲方向に移動させるとき肌に対する抵抗が少なく、化粧料塗布具１を移動させるときの先導側として優れ、櫛歯列１４ｂは、直状の櫛歯１６により、毛髪を深く分けることができ毛髪用顔料を深く広く行き渡らせるのに効果がある。化粧料塗布具１の操作方向に一定の制限が出るが、効率の良い塗布を行うことができる
【００２４】
図９は、本発明の実施例４を示し、実施例１とは主として装着部８における軸方向に配列する櫛歯列１４ａ，１４ｂを構成する櫛歯１６の形態が異なっている。他の構成は実施例１―３と格別に変わりが無いので、同じ符号を用いることにして具体的な説明は省略する。
実施例４の装着部８における櫛歯列１４ａ，１４ｂは、それぞれローラー状の塗布部材１５の周面に接する程度に湾曲された円弧状の櫛歯１６で構成されている。櫛歯１６は比較的細く、櫛歯間の間隔が大きくされている。また、ローラー状の塗布部材１５の直径も比較的大きい。実施例４の場合、各櫛歯１６は、装着部８を毛髪に押し付けて弾性体の塗布部材１５が変形したときに櫛としての機能を発揮する。各櫛端１６は大きく湾曲しているので化粧料塗布具１を操作するとき滑らかであり、また、肌を刺激することが少ない。
さらに、塗布部材１５の径が大きいので、毛髪用顔料を保持する量が大きく、ボトル２空引抜いた一回の量で広い範囲に化粧することができる。
【００２５】
なお、本発明の化粧料塗布具１は、毛髪用顔料を収容したボトル２と組み合わせることなく、トレー等に収容した染毛液等の化粧料を塗布部材１５に含浸させて使用することもできる。
塗布部材１５は、毛髪に押し当てると変形した状態で回転するので、円柱状に限定されるものではなく、断面を角形、楕円形、部分円形等としてもよい。
化粧料塗布具１の柄９は浅いクランクに屈曲して形成されたものを示したが、必ずしもクランク状でなくても良く、柄９は装着部８までまっすぐな形状に成形されていることもある。
化粧料塗布具１は毛髪用顔料の塗布以外の液体化粧料の塗布に用いることもできる。
【符号の説明】
【００２６】
１  化粧料塗布具
２  ボトル
３  把持部
４  本体部
５  開口部
６  雌ネジ
７  栓体
８  装着部
９  柄
１０  突条
１１  基部側
１２  先端側
１３  細長い台
１４ａ，１４ｂ  櫛歯列
１５  塗布部材
１６  櫛歯
１７  収容空間
１８  挿通孔
１９  軸部材
２０  軸
２１  軸支持部
２２  爪
２３  係合孔
２４  雄ネジ
２５  首部
２６  シゴキゴム
２７  テーパー部
２８  溝
【図１】
0005346887.tif 000002
【図２】
0005346887.tif 000003
【図３】
0005346887.tif 000004
【図４】
0005346887.tif 000005
【図５】
0005346887.tif 000006
【図６】
0005346887.tif 000007
【図７】
0005346887.tif 000008
【図８】
0005346887.tif 000009
【図９】
0005346887.tif 000010
【図１０】
0005346887.tif 000011